(57)【要約】【課題】梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。【解決手段】梱包箱の内部に樋支持具Ｔを収束して収納するための梱包収束具Ａであって、基板１の長手方向に、上記樋支持具Ｔの打込み用釘足部Ｔ１を収納する開口部２が一定間隔をあけて並設してなることを特徴とする。【選択図】図１
2006182441.tif 000002
【特許請求の範囲】
【請求項１】
梱包箱の内部に樋支持具を収束して収納するための梱包収束具であって、
基板の長手方向に、上記樋支持具の打込み用釘足部を収納する開口部が一定間隔をあけて並設してなることを特徴とする樋支持具の梱包収束具。
【請求項２】
請求項１において、
梱包収束具が焼却処理しても無害な可燃性材料で形成されていることを特徴とする樋支持具の梱包収束具。
【請求項３】
請求項１又は２の何れかにおいて、
梱包収束具に取手部を設けたことを特徴とする樋支持具の梱包収束具。
【発明の詳細な説明】
【技術分野】
【０００１】
本発明は、ダンボール箱などの梱包箱の内部に樋支持具を収束して収納するための梱包収束具に関する。
【背景技術】
【０００２】
一般に、樋支持具を目的地に輸送等する際には、例えば、ダンボール箱などの梱包箱の内部に、所定数の前記樋支持具をランダムに収納したうえで、前記梱包箱をテープなどで封止し、これらの梱包箱を箱積みして既存の輸送手段で輸送する。
【０００３】
そして、目的地に輸送された後には、上記テープを剥がして梱包箱を開放し、内部に収納された樋支持具を必要数だけ取り出して、作業現場等で使用するのである。
【０００４】
なお、樋支持具を束ねるようなものは従来にはなかった。
【発明の開示】
【発明が解決しようとする課題】
【０００５】
しかしながら、樋支持具を目的地に輸送等する場合には以下の問題があった。
【０００６】
先ず、梱包箱の内部では、輸送中の振動等によって、樋支持具同士がぶつかり合って樋支持具を傷付けてしまう問題がある。
【０００７】
一方、上記問題は、樋支持具を個別に包装すれば解消できるが、数十個〜数百個単位で１つの梱包箱に収納される樋支持具を個別に包装すれば、包装作業に手間を要するうえ、コストが増すため、採用することはできない。
【０００８】
次に、梱包箱の積込み、積降し作業の衝撃などによって、内部に収納されている樋支持具が、前記梱包箱を突き破ってしまう恐れがあり、特に、樋支持具の打込み用釘足部は、先端が鋭利であるため、梱包箱を突き破る恐れが高く、危険であるという問題がある。
【０００９】
そこで、上記梱包箱に収納される所定数の樋支持具を、小さなダンボール箱或いは小袋に小分けして一旦収納し、これら小箱、小袋を上記梱包箱に複数収納することで、いわば２重構造にしたうえで、輸送等を行うことも考えた。
【００１０】
しかし、このような２重構造では、梱包箱を突き破る恐れを解消できるものの、依然として上記の樋支持具を傷付けてしまう問題を解決することはできなかった。
【００１１】
更に、梱包箱の内部に収納されている樋支持具の有無、或いは、残数等を容易に確認できないという問題もある。
【００１２】
この問題は、輸送後の目的地、作業現場で樋支持具の所定数を確認する場合だけでなく、梱包箱の内部に収納するメーカー側でも同様に生じ得る。
【００１３】
すなわち、梱包箱の内部に収納される樋支持具の所定数は、一般に数十個〜数百個単位であり、このような大量な樋支持具の所定数を一々確認することは手間が多いうえ、数の間違いも生じ易く、非常に困難であった。
【００１４】
そのため、梱包箱内部に収納されている樋支持具の所定数を、簡単に確認できる手段が要望されている。
【００１５】
本発明は、これらの課題を一気に解決することを目的として新規に創作したもので、梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。
【課題を解決するための手段】
【００１６】
上記目的を達成するため、
請求項１に係る樋支持具の梱包収束具は、梱包箱の内部に樋支持具を収束して収納するための梱包収束具であって、基板の長手方向に、上記樋支持具の打込み用釘足部を収納する開口部が一定間隔をあけて並設してなることを特徴とする。
【００１７】
請求項２に係る樋支持具の梱包収束具は、請求項１において、梱包収束具が焼却処理しても無害な可燃性材料で形成されていることを特徴とする。
【００１８】
請求項３に係る樋支持具の梱包収束具は、請求項１又は２の何れかにおいて、梱包収束具に取手部を設けたことを特徴とする。
【発明の効果】
【００１９】
本発明によれば、次のような効果がある。
請求項１に係る樋支持具の梱包収束具によれば、樋支持具は、基板の開口部に打込み用釘足部を収納して整列されるため、隣設された樋支持具同士がぶつかり合って樋支持具が傷付くことを防止できる。
【００２０】
また、基板の開口部全てに樋支持具の打込み用釘足部が収納されていれば、梱包収束具が収納する樋支持具の数量が特定されるため、梱包箱内部に収納されている梱包収束具の数を数えるだけで、梱包箱内部に収納されている樋支持具の所定数を、簡単に確認できる。
【００２１】
一方、基板の開口部に樋支持具の打込み用釘足部が収納されていなければ、樋支持具の不足が一目で判るので、樋支持具の所定数を、確実に確認できる。
【００２２】
請求項２に係る樋支持具の梱包収束具によれば、梱包収束具は、焼却処理しても無害な可燃性材料で形成しているので、樋支持具を使用した後に不要となった上記梱包収束具を、作業現場等で安全に焼却処理できる。
【００２３】
請求項３に係る樋支持具の梱包収束具によれば、梱包収束具に取手部を設けているので、複数の樋支持具が収納された梱包収束具を簡単に持ち運ぶことができ、例えば、高所にある作業現場などに複数の樋支持具を簡単且つ安全に持ち運ぶことができる。
【発明を実施するための最良の形態】
【００２４】
以下、本発明に係る樋支持具の梱包収束具Ａを図面とともに説明する。
【実施例１】
【００２５】
図１は、本発明に係る樋支持具の梱包収束具Ａの一実施例を示す使用状態の概略斜視図である。
【００２６】
この樋支持具Ｔの梱包収束具Ａ（以下、単に「梱包収束具Ａ」と略する。）は、ダンボール箱等の梱包箱（不図示）の内部に、樋支持具Ｔを収束して収納するためのものあって、基板１の長手方向に、樋支持具Ｔの打込み用釘足部Ｔ１を収納する開口部２が一定間隔をあけて並設されてなる。
【００２７】
このように本発明の梱包収束具Ａによれば、樋支持具Ｔは、基板１の開口部２に打込み用釘足部Ｔ１を収納して整列されるため、隣設された樋支持具Ｔ同士がぶつかり合って樋支持具Ｔが傷付くことを防止できる。
【００２８】
ここで、樋支持具Ｔは、打込み用釘足部Ｔ１と本体部Ｔ２とで構成されてなり、図１で示した樋支持具Ｔは、竪樋を抱持する環状の本体部Ｔ２を示したものであるが、これ以外にも、例えば、図４（ａ）、（ｂ）で示すような、雨樋を吊下げて支持する本体部Ｔ２と打込み用釘足部Ｔ１よりなる樋支持具Ｔ、或いは、雨樋を受け支持する本体部Ｔ２と打込み用釘足部Ｔ１よりなる樋支持具Ｔでも同様である。
【００２９】
なお、本実施例で示した打込み用釘足部Ｔ１の形状は、断面丸形状であるが、図例以外の形状、例えば、断面角形状、断面楕円形状等であっても勿論構わない。
【００３０】
以下、各部材について詳説する。
【００３１】
基板１は、その長手方向に、樋支持具Ｔの打込み用釘足部Ｔ１を収納する開口部２が一定間隔をあけて並設されている。
【００３２】
ここでの基板１は、矩形状の紙材を長手方向中心で折り曲げ、この折り曲げた幅方向にに向けて樋支持具Ｔの打込み用釘足部Ｔ１を保持可能な長孔状の開口部２を形成してなる。
【００３３】
これら基板１及び開口部２は、樋支持具Ｔの形状、或いは、打込み用釘足部Ｔ１の形状等に応じて適宜選択されるものであり、要は、樋支持具Ｔの打込み用釘足部Ｔ１が簡単に抜け外れない程度に一定間隔をあけて保持できるものであれば構わない。
【００３４】
また、梱包収束具Ａは、これを焼却処理しても無害な可燃性材料で形成するのが望ましく、具体的には、再生紙などの紙材を用いるのが良く、そのため、樋支持具Ｔを使用した後に不要となった梱包収束具Ａを、作業現場等で焼却処理しても無害且つ安全に廃棄処理できる。
【００３５】
更に、梱包収束具Ａには、その適所に取手部３を設けることによって、当該梱包収束具Ａを簡単に持ち運ぶことができる。
【００３６】
図例では、基板１の一端に長孔を開設して取手部３を形成しているが、このような長孔以外にも、例えば、紐、バンド体等を採用しても構わない。
【００３７】
このような取手部３を設けておけば、例えば、高所にある作業現場などに梱包収束具Ａを簡単に持ち運ぶことができるので、複数の樋支持具Ｔを一度に簡単且つ安全に持ち運ぶことができる。
【００３８】
このように構成された本発明の梱包収束具Ａは、以下の要領にして簡単に製造できる。
【００３９】
図２は、図１で示した梱包収束具Ａの組立て前の展開状態を示す平面図である。
【００４０】
この図２で示すように、再生紙などの紙材を型紙（不図示）に合わせて周知の裁断機によって裁断する。
【００４１】
そして、この裁断された紙材の長手方向中心（イ）を折り曲げるだけで、簡単に本発明の梱包収束具Ａを形成できる。
【００４２】
このように製造した梱包収束具Ａの開口部２に向けて樋支持具Ｔの打込み用釘足部Ｔ１を図１のように順次差し込んで行けば、やがて、基板１の開口部２の全てに樋支持具Ｔが支持される。
【００４３】
そして、これらの梱包収束具Ａを順次梱包箱（不図示）に収納すれば、梱包収束具Ａが支持している樋支持具Ｔの数は特定されているため、梱包箱（不図示）内部に収納されている梱包収束具Ａの数を数えるだけで、梱包箱（不図示）の内部に所定数の樋支持具Ｔを簡単且つ確実に収納することができる。
【００４４】
このように、基板１の開口部２全部に樋支持具Ｔの打込み用釘足部Ｔ１が収納されていれば、梱包収束具Ａが収納する樋支持具Ｔの数量が特定されるため、梱包箱（不図示）内部に収納されている梱包収束具Ａの数を数えるだけで、梱包箱（不図示）内部に収納されている樋支持具Ｔの所定数を、簡単に確認できる。
【００４５】
また、基板１の開口部２に樋支持具Ｔの打込み用釘足部Ｔ１が収納されていなければ、樋支持具Ｔの不足が一目で判るので、樋支持具Ｔの所定数を、確実に確認できる。
【００４６】
更に、図１で示すように、樋支持具Ｔの打込み用釘足部Ｔ１を、隣設する樋支持具Ｔと異なる方向に順次整列していれば、打込み用釘足部Ｔ１が、隣設する他の樋支持具Ｔの本体部Ｔ２間に収納されるため、打込み用釘足部Ｔ１が梱包箱（不図示）を突き破る危険を防止できる。
【００４７】
図３（ａ）〜（ｃ）は、本発明に係る樋支持具の梱包収束具Ａの他の実施例を示す概略斜視図である。
【００４８】
ここで、図１、図２と共通する部位には、共通の番号を付して、その説明は省略し、以下では、本実施例の特徴だけを説明する。
【００４９】
図３（ａ）で示した梱包収納具Ａは、基板１の長手方向に向けて並設された開口部２が、図１、図２で示されたような長孔状のものではなく、折り曲げた基板１の相対位置に、丸孔状の開口部２が一対に形成されたものを示している。
【００５０】
また、図３（ｂ）で示した梱包収納具Ａは、図３（ａ）で示した基板１が単に折り曲げた逆Ｖ形状であるのに対して、その頂上に平面部１１を形成して略コ字形状に形成したものを示している。
【００５１】
更に、図３（ｃ）で示した梱包収納具Ａは、図３（ｂ）と同じく略コ字形状に形成した基板１の平面部１１に、十字の切り込みで形成された開口部２を設けたものを示している。
【００５２】
これら何れの形状の梱包収納具Ａであっても、基板１の開口部２に打込み用釘足部Ｔ１を収納して整列されるため、上記同様の効果を発揮できる。
【００５３】
なお、図３で示した梱包収束具Ａの適所に、図１、２で示したような取手部３を設けることも勿論可能である。
【産業上の利用可能性】
【００５４】
本発明は、梱包箱の内部に収納する樋支持具の梱包収束具として有効に利用することが可能である。
【図面の簡単な説明】
【００５５】
【図１】本発明に係る樋支持具の梱包収束具Ａの一実施例を示す使用状態の概略斜視図である。
【図２】図１で示した梱包収束具Ａの製造前の展開状態を示す平面図である。
【図３】（ａ）〜（ｃ）は、本発明に係る樋支持具の梱包収束具Ａの他の実施例を示す概略斜視図である。
【図４】（ａ），（ｂ）は、樋支持具の他の実施例を示す斜視図である。
【符号の説明】
【００５６】
Ａ      樋支持具の梱包収束具
Ｔ      樋支持具
Ｔ１    打込み用釘足部
Ｔ２    本体部
１      基板
２      開口部
３      取手部
【図１】
2006182441.tif 000003
【図２】
2006182441.tif 000004
【図３】
2006182441.tif 000005
【図４】
2006182441.tif 000006